(57)【特許請求の範囲】
【請求項１】
相互に通信可能に接続されたネットワークファクシミリ装置とサーバ装置とクライアント端末装置とを備えるネットワークファクシミリシステムであって、
前記ネットワークファクシミリ装置は、
電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得手段と、
前記ファクシミリ側特定情報取得手段により取得された電話番号情報、他方識別情報、自方識別情報、及び画像情報を対応付けて格納するファクシミリ側画像情報記憶手段とを備え、
前記サーバ装置は、
前記ファクシミリ側画像情報記憶手段に格納された電話番号情報、他方識別情報、自方識別情報、及び画像情報を取得するサーバ側特定情報取得手段と、
前記サーバ側特定情報取得手段により取得された電話番号情報、自方識別情報、他方識別情報、及び画像情報を対応付けて格納するサーバ側画像情報記憶手段とを備え、
前記クライアント端末装置は、
前記サーバ装置のサーバ側画像情報記憶手段に格納された電話番号情報、他方識別情報、及び画像情報を取得するクライアント側特定情報取得手段と、
前記クライアント側特定情報取得手段により取得された電話番号情報、他方識別情報、及び画像情報を対応付けて格納するクライアント側画像情報記憶手段と、
前記クライアント側画像情報記憶手段に記憶された電話番号情報の一覧表を作成して表示部に表示し、操作部からの操作入力を受け付けて送信先の電話番号情報を選択する第１送信先選択手段と、
操作部から氏名情報の入力を受け付けて、氏名情報を電話番号情報に対応付けて格納する氏名受付手段と、
前記クライアント側画像情報記憶手段に格納されている氏名情報を一覧表示する氏名表示手段と、
操作部からの入力を受け付けて、表示された氏名情報から少なくとも１の氏名情報を選択する氏名選択手段と、
ネットワークファクシミリ装置を介して画像情報を送信する場合に、氏名選択手段によって選択された氏名情報に対応する電話番号情報を前記クライアント側画像情報記憶手段から読み出して送信先の電話番号情報を選択する第２送信先選択手段と、
前記ネットワークファクシミリ装置を介して画像情報を送信する場合に、前記クライアント側画像情報記憶手段に記憶された画像情報を読み出して画像選択画面を表示部に表示し、操作部からの選択入力を受け付けて、前記クライアント側画像情報記憶手段から送信先の電話番号情報を選択する第３送信先選択手段と、
前記ネットワークファクシミリ装置から画像情報を送信する場合に、前記クライアント側画像情報記憶手段から電話番号情報及び他方識別情報を読み出し、電話番号情報及び他方識別情報の一覧表を作成して表示部に表示し、操作部からの選択入力を受け付けて、前記クライアント側画像情報記憶手段から送信先の電話番号情報及び他方識別情報を選択する第４送信先選択手段とを備えることを特徴とするネットワークファクシミリシステム。
【請求項２】
前記サーバ装置は、前記自方識別情報に対応するクライアント端末装置に対して、前記ネットワークファクシミリ装置が前記クライアント端末装置を送信先とする画像情報を受信した旨の電子メールを送信するメール送信手段を更に備えることを特徴とする請求項１記載のネットワークファクシミリシステム。
【請求項３】
相互に通信可能に接続されたネットワークファクシミリ装置とサーバ装置とクライアント端末装置とを備えるネットワークファクシミリシステムの送信先指定プログラムであって、
前記ネットワークファクシミリ装置を、
電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得手段と、
前記ファクシミリ側特定情報取得手段により取得された電話番号情報、他方識別情報、自方識別情報、及び画像情報を対応付けて格納するファクシミリ側画像情報記憶手段として機能させ、
前記サーバ装置を、
前記ファクシミリ側画像情報記憶手段に格納された電話番号情報、他方識別情報、自方識別情報、及び画像情報を取得するサーバ側特定情報取得手段と、
前記サーバ側特定情報取得手段により取得された電話番号情報、自方識別情報、他方識別情報、及び画像情報を対応付けて格納するサーバ側画像情報記憶手段として機能させ、
前記クライアント端末装置を、
前記サーバ装置のサーバ側画像情報記憶手段に格納された電話番号情報、他方識別情報、及び画像情報を取得するクライアント側特定情報取得手段と、
前記クライアント側特定情報取得手段により取得された電話番号情報、他方識別情報、及び画像情報を対応付けて格納するクライアント側画像情報記憶手段と、
前記クライアント側画像情報記憶手段に記憶された電話番号情報の一覧表を作成して表示部に表示し、操作部からの操作入力を受け付けて送信先の電話番号情報を選択する第１送信先選択手段と、
操作部から氏名情報の入力を受け付けて、氏名情報を電話番号情報に対応付けて格納する氏名受付手段と、
前記クライアント側画像情報記憶手段に格納されている氏名情報を一覧表示する氏名表示手段と、
操作部からの入力を受け付けて、表示された氏名情報から少なくとも１の氏名情報を選択する氏名選択手段と、
ネットワークファクシミリ装置を介して画像情報を送信する場合に、氏名選択手段によって選択された氏名情報に対応する電話番号情報を前記クライアント側画像情報記憶手段から読み出して送信先の電話番号情報を選択する第２送信先選択手段と、
前記ネットワークファクシミリ装置を介して画像情報を送信する場合に、前記クライアント側画像情報記憶手段に記憶された画像情報を読み出して画像選択画面を表示部に表示し、操作部からの選択入力を受け付けて、前記クライアント側画像情報記憶手段から送信先の電話番号情報を選択する第３送信先選択手段と、
前記ネットワークファクシミリ装置から画像情報を送信する場合に、前記クライアント側画像情報記憶手段から電話番号情報及び他方識別情報を読み出し、電話番号情報及び他方識別情報の一覧表を作成して表示部に表示し、操作部からの選択入力を受け付けて、前記クライアント側画像情報記憶手段から送信先の電話番号情報及び他方識別情報を選択する第４送信先選択手段として機能させることを特徴とする送信先指定プログラム。
【請求項４】
相互に通信可能に接続されたネットワークファクシミリ装置とサーバ装置とクライアント端末装置とを備えるネットワークファクシミリシステムの送信先指定方法であって、
前記ネットワークファクシミリ装置が、
電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得ステップと、
前記ファクシミリ側特定情報取得ステップにより取得された電話番号情報、他方識別情報、自方識別情報、及び画像情報を対応付けて格納するファクシミリ側画像情報記憶ステップとを備え、
前記サーバ装置が、
前記ファクシミリ側画像情報記憶ステップにより格納された電話番号情報、他方識別情報、自方識別情報、及び画像情報を取得するサーバ側特定情報取得ステップと、
前記サーバ側特定情報取得ステップにより取得された電話番号情報、自方識別情報、他方識別情報、及び画像情報を対応付けて格納するサーバ側画像情報記憶ステップとを備え、
前記クライアント端末装置が、
前記サーバ装置のサーバ側画像情報記憶ステップにより格納された電話番号情報、他方識別情報、及び画像情報を取得するクライアント側特定情報取得ステップと、
前記クライアント側特定情報取得ステップにより取得された電話番号情報、他方識別情報、及び画像情報を対応付けて格納するクライアント側画像情報記憶ステップと、
前記クライアント側画像情報記憶ステップにより記憶された電話番号情報の一覧表を作成して表示部に表示し、操作部からの操作入力を受け付けて送信先の電話番号情報を選択する第１送信先選択ステップと、
操作部から氏名情報の入力を受け付けて、氏名情報を電話番号情報に対応付けて格納する氏名受付ステップと、
前記クライアント側画像情報記憶ステップにより格納された氏名情報を一覧表示する氏名表示ステップと、
操作部からの入力を受け付けて、表示された氏名情報から少なくとも１の氏名情報を選択する氏名選択ステップと、
ネットワークファクシミリ装置を介して画像情報を送信する場合に、氏名選択ステップによって選択された氏名情報に対応する電話番号情報を送信先の電話番号情報として選択する第２送信先選択ステップと、
前記ネットワークファクシミリ装置を介して画像情報を送信する場合に、前記クライアント側画像情報記憶ステップにより記憶された画像情報を読み出して画像選択画面を表示部に表示し、操作部からの選択入力を受け付けて、送信先の電話番号情報を選択する第３送信先選択ステップと、
前記ネットワークファクシミリ装置から画像情報を送信する場合に、前記クライアント側画像情報記憶ステップにより記憶された電話番号情報及び他方識別情報を読み出し、電話番号情報及び他方識別情報の一覧表を作成して表示部に表示し、操作部からの選択入力を受け付けて、送信先の電話番号情報及び他方識別情報を選択する第４送信先選択ステップとを備えることを特徴とするクライアント端末装置の送信先指定方法。
【請求項５】
電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得手段と、
前記ファクシミリ側特定情報取得手段により取得された電話番号情報、他方識別情報、自方識別情報、及び画像情報を対応付けて格納するファクシミリ側画像情報記憶手段とを備え、
前記ファクシミリ側画像情報記憶手段に格納された電話番号情報、他方識別情報、自方識別情報、及び画像情報を取得するサーバ側特定情報取得手段と、前記サーバ側特定情報取得手段により取得された電話番号情報、自方識別情報、他方識別情報、及び画像情報を対応付けて格納するサーバ側画像情報記憶手段とを備えるサーバ装置と相互に通信可能に接続されると共に、
前記サーバ装置のサーバ側画像情報記憶手段に格納された電話番号情報、他方識別情報、及び画像情報を取得するクライアント側特定情報取得手段と、前記クライアント側特定情報取得手段により取得された電話番号情報、他方識別情報、及び画像情報を対応付けて格納するクライアント側画像情報記憶手段と、前記クライアント側画像情報記憶手段に記憶された電話番号情報の一覧表を作成して表示部に表示し、操作部からの操作入力を受け付けて送信先の電話番号情報を選択する第１送信先選択手段と、操作部から氏名情報の入力を受け付けて、氏名情報を電話番号情報に対応付けて格納する氏名受付手段と、前記クライアント側画像情報記憶手段に格納されている氏名情報を一覧表示する氏名表示手段と、操作部からの入力を受け付けて、表示された氏名情報から少なくとも１の氏名情報を選択する氏名選択手段と、ネットワークファクシミリ装置を介して画像情報を送信する場合に、氏名選択手段によって選択された氏名情報に対応する電話番号情報を前記クライアント側画像情報記憶手段から読み出して送信先の電話番号情報を選択する第２送信先選択手段と、前記ネットワークファクシミリ装置を介して画像情報を送信する場合に、前記クライアント側画像情報記憶手段に記憶された画像情報を読み出して画像選択画面を表示部に表示し、操作部からの選択入力を受け付けて、前記クライアント側画像情報記憶手段から送信先の電話番号情報を選択する第３送信先選択手段と、前記ネットワークファクシミリ装置から画像情報を送信する場合に、前記クライアント側画像情報記憶手段から電話番号情報及び他方識別情報を読み出し、電話番号情報及び他方識別情報の一覧表を作成して表示部に表示し、操作部からの選択入力を受け付けて、前記クライアント側画像情報記憶手段から送信先の電話番号情報及び他方識別情報を選択する第４送信先選択手段とを備えるクライアント端末装置と相互に通信可能に接続されていることを特徴とするネットワークファクシミリ装置。
【発明の詳細な説明】
【０００１】
【発明の属する技術分野】
本発明は、ネットワークファクシミリシステム、送信先指定プログラム、送信先指定方法、及びネットワークファクリミリ装置に関するものである。
【０００２】
【従来の技術】
電話回線（アナログ回線ＰＳＴＮまたはディジタル回線ＩＳＤＮ等）に接続され、この電話回線を介して画像情報を送受信するファクシミリ通信機能と、ローカルエリアネットワークに接続され、このローカルエリアネットワークを介して接続されているクライアント端末装置と画像情報の送受信を行なうネットワークファクシミリ通信機能とを備えたネットワークファクシミリ装置が知られている。
【０００３】
このようなネットワークファクシミリ装置を用いると、ローカルエリアネットワークに接続されているクライアント端末装置へ、電話回線を介して伝送されてきた画像情報を送信することができる（例えば、特許文献１参照）。
【０００４】
【特許文献１】
特開平１３−２６５６９９号公報
【０００５】
【発明が解決しようとする課題】
上記従来のネットワークファクシミリ装置においては、ユーザがクライアント端末装置から画像情報を送信する場合に、送信先の電話番号を入力する必要があるが、送信先のファクシミリの電話番号を調べて入力する作業が煩雑であった。
【０００６】
特に、クライアント端末装置へネットワークファクシミリ装置を介して画像情報が受信され、ユーザがクライアント端末装置から別の画像情報を返信する場合にも、返信先の電話番号を入力する必要があり、受信原稿等を参照して返信先のファクシミリの電話番号を調べて入力する作業が煩雑であった。
【０００７】
本発明は上記の課題に鑑みてなされたもので、ネットワークファクシミリ装置から送信する画像情報の送信先の指定が容易なネットワークファクシミリシステム、送信先指定プログラム、送信先指定方法、及びネットワークファクシミリ装置を提供することを目的とするものである。
【０００８】
【課題を解決するための手段】
請求項１に記載のネットワークファクシミリ装置は、相互に通信可能に接続されたネットワークファクシミリ装置とサーバ装置とクライアント端末装置とを備えるネットワークファクシミリシステムであって、前記ネットワークファクシミリ装置は、電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得手段と、前記ファクシミリ側特定情報取得手段により取得された電話番号情報、他方識別情報、自方識別情報、及び画像情報を対応付けて格納するファクシミリ側画像情報記憶手段とを備え、前記サーバ装置は、前記ファクシミリ側画像情報記憶手段に格納された電話番号情報、他方識別情報、自方識別情報、及び画像情報を取得するサーバ側特定情報取得手段と、前記サーバ側特定情報取得手段により取得された電話番号情報、自方識別情報、他方識別情報、及び画像情報を対応付けて格納するサーバ側画像情報記憶手段とを備え、前記クライアント端末装置は、前記サーバ装置のサーバ側画像情報記憶手段に格納された電話番号情報、他方識別情報、及び画像情報を取得するクライアント側特定情報取得手段と、前記クライアント側特定情報取得手段により取得された電話番号情報、他方識別情報、及び画像情報を対応付けて格納するクライアント側画像情報記憶手段と、前記クライアント側画像情報記憶手段に記憶された電話番号情報の一覧表を作成して表示部に表示し、操作部からの操作入力を受け付けて送信先の電話番号を選択する第１送信先選択手段と、操作部から氏名情報の入力を受け付けて、氏名情報を電話番号情報に対応付けて格納する氏名受付手段と、前記クライアント側画像情報記憶手段に格納されている氏名情報を一覧表示する氏名表示手段と、操作部からの入力を受け付けて、表示された氏名情報から少なくとも１の氏名情報を選択する氏名選択手段と、ネットワークファクシミリ装置を介して画像情報を送信する場合に、氏名選択手段によって選択された氏名情報に対応する電話番号情報を前記クライアント側画像情報記憶手段から読み出して送信先の電話番号情報を選択する第２送信先選択手段と、前記ネットワークファクシミリ装置を介して画像情報を送信する場合に、前記クライアント側画像情報記憶手段に記憶された画像情報を読み出して画像選択画面を表示部に表示し、操作部からの選択入力を受け付けて、前記クライアント側画像情報記憶手段から送信先の電話番号情報を選択する第３送信先選択手段と、前記ネットワークファクシミリ装置から画像情報を送信する場合に、前記クライアント側画像情報記憶手段から電話番号情報及び他方識別情報を読み出し、電話番号情報及び他方識別情報の一覧表を作成して表示部に表示し、操作部からの選択入力を受け付けて、前記クライアント側画像情報記憶手段から送信先の電話番号情報及び他方識別情報を選択する第４送信先選択手段とを備えることを特徴とする。
【０００９】
上記の構成によれば、ファクシミリ側特定情報取得手段によって、電話回線を介して画像情報を受信する際に、送信元の電話番号情報、他方識別情報、自方識別情報が取得され、ファクシミリ側画像情報記憶手段に、電話番号情報に対応付けて画像情報が格納される。これにより、クライアント端末装置からファクシミリ側画像情報記憶手段に格納された電話番号情報、他方識別情報、自方識別情報、及び画像情報を参照することが可能となる。
【００１０】
そして、サーバ側特定情報取得手段によって、ファクシミリ側画像情報記憶手段に格納された自方識別情報、他方識別情報、電話番号情報及び画像情報が取得され、サーバ側画像情報記憶手段に、取得された前記自方識別情報に対応付けて前記他方識別情報、電話番号情報及び画像情報が格納される。
【００１１】
これにより、サーバ側画像情報記憶手段に格納された自方識別情報、電話番号情報、及び画像情報を参照することが可能となり、自方識別情報によってどの画像情報がクライアント端末装置に送信されたものであるかが認識可能になると共に、受信された画像情報がどの電話番号情報を有するファクシミリから送信されたものであるか、又はどの他方識別情報を有するクライアント端末装置から送信されたものであるかが認識可能となる。
【００１２】
そして、クライアント側特定情報取得手段によって、サーバ装置の情報記憶手段に格納された電話番号情報、他方識別情報、自方識別情報が取得され、クライアント側画像情報記憶手段に、取得された電話番号情報が格納され、ネットワークファクシミリ装置から画像情報を送信する場合に、第１送信先選択手段によって、操作部からの入力が受け付けられて、クライアント側画像情報記憶手段から送信先の電話番号情報が選択される。
【００１３】
これにより、操作部からの入力が受け付けられて、クライアント側画像情報記憶手段から送信先の電話番号情報が選択されるため、送信先の電話番号情報の指定が容易になる。
【００１４】
また、氏名受付手段によって、操作部からの氏名の入力が受け付けられて、クライアント側画像情報記憶手段に電話番号情報に対応付けて氏名情報が格納され、氏名表示手段によって、クライアント側画像情報記憶手段に格納されている氏名情報が一覧表示される。更に、氏名選択手段によって、操作部からの入力が受け付けられて、表示された氏名情報から少なくとも１の氏名情報が選択され、ネットワークファクシミリ装置を介して画像情報を送信する場合に、第２送信先選択手段によって、氏名選択手段によって選択された氏名情報に対応する電話番号情報がクライアント側画像情報記憶手段から読み出されて、送信先の電話番号情報が選択される。
【００１５】
これにより、氏名選択手段によって、操作部からの入力が受け付けられて、表示された氏名情報から少なくとも１の氏名情報が選択され、ネットワークファクシミリ装置を介して画像情報を送信する場合に、第２送信先選択手段によって、氏名選択手段によって選択された氏名情報に対応する電話番号情報がクライアント側画像情報記憶手段から読み出されて送信先の電話番号情報が選択されるため、送信先の電話番号情報の指定が更に容易になる。
【００１６】
また、第３送信先選択手段によって、操作部からの入力が受け付けられて、クライアント側画像情報記憶手段に格納されている画像情報を選択することによって送信先の電話番号情報が指定される。
【００１７】
これにより、操作部からの入力が受け付けられて、クライアント側画像情報記憶手段に格納されている画像情報を選択することによって送信先の電話番号情報が指定されるため、送信先の電話番号情報の指定が容易になる。特に、自方クライアント端末装置に送信されてきた文書に対して、その文書の送信元に返信する場合には、その文書に対応する画像情報を選択することによって、返信先の他方ネットワークファクシミリ装置の電話番号情報が指定されるため、返信先の他方ネットワークファクシミリ装置の電話番号情報の指定が容易になる。
【００１８】
また、第４送信先選択手段によって、操作部からの入力が受け付けられて、クライアント側画像情報記憶手段から送信先の電話番号情報及び他方識別情報が選択される。
【００１９】
これにより、操作部からの入力が受け付けられて、クライアント側画像情報記憶手段から送信先の電話番号情報及び他方識別情報が選択されるため、送信先の他方ネットワークファクシミリ装置の電話番号情報及び他方クライアント装置を識別する他方識別情報の指定が容易になる。
【００２０】
請求項２に記載のネットワークファクシミリシステムは、前記サーバ装置は、前記自方識別情報に対応するクライアント端末装置に対して、前記ネットワークファクシミリ装置が前記クライアント端末装置を送信先とする画像情報を受信した旨の電子メールを送信するメール送信手段を更に備えることを特徴とする。
【００２１】
この構成によれば、サーバ側特定情報取得手段によって、ファクシミリ側画像情報記憶手段に格納された自方識別情報が取得されると、メール送信手段によって、自方識別情報に対応する自方クライアント端末装置に対して、ネットワークファクシミリ装置が自方クライアント端末装置を送信先とする画像情報を受信した旨の電子メールが送信される。
【００２２】
従って、メール送信手段によって、自方識別情報に対応する自方クライアント端末装置に対して、ネットワークファクシミリ装置が自方クライアント端末装置を送信先とする画像情報を受信した旨の電子メールが送信されるため、当該自方クライアント端末装置のユーザは、この電子メールを受信し内容を確認することによって、ネットワークファクシミリ装置が当該自方クライアント端末装置を送信先とする画像情報を受信したことを迅速に知ることが可能となる。
【００２３】
また、本発明による送信先指定プログラムは、相互に通信可能に接続されたネットワークファクシミリ装置とサーバ装置とクライアント端末装置とを備えるネットワークファクシミリシステムの送信先指定プログラムであって、前記ネットワークファクシミリ装置を、電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得手段と、前記ファクシミリ側特定情報取得手段により取得された電話番号情報、他方識別情報、自方識別情報、及び画像情報を対応付けて格納するファクシミリ側画像情報記憶手段として機能させ、前記サーバ装置を、前記ファクシミリ側画像情報記憶手段に格納された電話番号情報、他方識別情報、自方識別情報、及び画像情報を取得するサーバ側特定情報取得手段と、前記サーバ側特定情報取得手段により取得された電話番号情報、自方識別情報、他方識別情報、及び画像情報を対応付けて格納するサーバ側画像情報記憶手段として機能させ、前記クライアント端末装置を、前記サーバ装置のサーバ側画像情報記憶手段に格納された電話番号情報、他方識別情報、及び画像情報を取得するクライアント側特定情報取得手段と、前記クライアント側特定情報取得手段により取得された電話番号情報、他方識別情報、及び画像情報を対応付けて格納するクライアント側画像情報記憶手段と、前記クライアント側画像情報記憶手段に記憶された電話番号情報の一覧表を作成して表示部に表示し、操作部からの操作入力を受け付けて送信先の電話番号情報を選択する第１送信先選択手段と、操作部から氏名情報の入力を受け付けて、氏名情報を電話番号情報に対応付けて格納する氏名受付手段と、前記クライアント側画像情報記憶手段に格納されている氏名情報を一覧表示する氏名表示手段と、操作部からの入力を受け付けて、表示された氏名情報から少なくとも１の氏名情報を選択する氏名選択手段と、ネットワークファクシミリ装置を介して画像情報を送信する場合に、氏名選択手段によって選択された氏名情報に対応する電話番号情報を前記クライアント側画像情報記憶手段から読み出して送信先の電話番号情報を選択する第２送信先選択手段と、前記ネットワークファクシミリ装置を介して画像情報を送信する場合に、前記クライアント側画像情報記憶手段に記憶された画像情報を読み出して画像選択画面を表示部に表示し、操作部からの選択入力を受け付けて、前記クライアント側画像情報記憶手段から送信先の電話番号情報を選択する第３送信先選択手段と、前記ネットワークファクシミリ装置から画像情報を送信する場合に、前記クライアント側画像情報記憶手段から電話番号情報及び他方識別情報を読み出し、電話番号情報及び他方識別情報の一覧表を作成して表示部に表示し、操作部からの選択入力を受け付けて、前記クライアント側画像情報記憶手段から送信先の電話番号情報及び他方識別情報を選択する第４送信先選択手段として機能させることを特徴とする。
【００２４】
また、本発明による送信先指定方法は、相互に通信可能に接続されたネットワークファクシミリ装置とサーバ装置とクライアント端末装置とを備えるネットワークファクシミリシステムの送信先指定方法であって、前記ネットワークファクシミリ装置が、電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得ステップと、前記ファクシミリ側特定情報取得ステップにより取得された電話番号情報、他方識別情報、自方識別情報、及び画像情報を対応付けて格納するファクシミリ側画像情報記憶ステップとを備え、前記サーバ装置が、前記ファクシミリ側画像情報記憶ステップにより格納された電話番号情報、他方識別情報、自方識別情報、及び画像情報を取得するサーバ側特定情報取得ステップと、前記サーバ側特定情報取得ステップにより取得された電話番号情報、自方識別情報、他方識別情報、及び画像情報を対応付けて格納するサーバ側画像情報記憶ステップとを備え、前記クライアント端末装置が、前記サーバ装置のサーバ側画像情報記憶ステップにより格納された電話番号情報、他方識別情報、及び画像情報を取得するクライアント側特定情報取得ステップと、前記クライアント側特定情報取得ステップにより取得された電話番号情報、他方識別情報、及び画像情報を対応付けて格納するクライアント側画像情報記憶ステップと、前記クライアント側画像情報記憶ステップにより記憶された電話番号情報の一覧表を作成して表示部に表示し、操作部からの操作入力を受け付けて送信先の電話番号情報を選択する第１送信先選択ステップと、操作部から氏名情報の入力を受け付けて、氏名情報を電話番号情報に対応付けて格納する氏名受付ステップと、前記クライアント側画像情報記憶ステップにより格納された氏名情報を一覧表示する氏名表示ステップと、操作部からの入力を受け付けて、表示された氏名情報から少なくとも１の氏名情報を選択する氏名選択ステップと、ネットワークファクシミリ装置を介して画像情報を送信する場合に、氏名選択ステップによって選択された氏名情報に対応する電話番号情報を送信先の電話番号情報として選択する第２送信先選択ステップと、前記ネットワークファクシミリ装置を介して画像情報を送信する場合に、前記クライアント側画像情報記憶ステップにより記憶された画像情報を読み出して画像選択画面を表示部に表示し、操作部からの選択入力を受け付けて、送信先の電話番号情報を選択する第３送信先選択ステップと、前記ネットワークファクシミリ装置から画像情報を送信する場合に、前記クライアント側画像情報記憶ステップにより記憶された電話番号情報及び他方識別情報を読み出し、電話番号情報及び他方識別情報の一覧表を作成して表示部に表示し、操作部からの選択入力を受け付けて、送信先の電話番号情報及び他方識別情報を選択する第４送信先選択ステップとを備えることを特徴とする。
【００２５】
また、本発明によるネットワークファクシミリ装置は、電話回線を介して他のネットワークファクシミリ装置から送信された画像情報を受信する際に、前記他のネットワークファクシミリ装置の電話番号情報と、前記他のネットワークファクシミリ装置に通信可能に接続され、前記画像情報の送信元となるクライアント端末装置を識別するための情報である他方識別情報と、送信先のクライアント端末を識別するための情報である自方識別情報とを取得するファクシミリ側特定情報取得手段と、前記ファクシミリ側特定情報取得手段により取得された電話番号情報、他方識別情報、自方識別情報、及び画像情報を対応付けて格納するファクシミリ側画像情報記憶手段とを備え、前記ファクシミリ側画像情報記憶手段に格納された電話番号情報、他方識別情報、自方識別情報、及び画像情報を取得するサーバ側特定情報取得手段と、前記サーバ側特定情報取得手段により取得された電話番号情報、自方識別情報、他方識別情報、及び画像情報を対応付けて格納するサーバ側画像情報記憶手段とを備えるサーバ装置と相互に通信可能に接続されると共に、前記サーバ装置のサーバ側画像情報記憶手段に格納された電話番号情報、他方識別情報、及び画像情報を取得するクライアント側特定情報取得手段と、前記クライアント側特定情報取得手段により取得された電話番号情報、他方識別情報、及び画像情報を対応付けて格納するクライアント側画像情報記憶手段と、前記クライアント側画像情報記憶手段に記憶された電話番号情報の一覧表を作成して表示部に表示し、操作部からの操作入力を受け付けて送信先の電話番号情報を選択する第１送信先選択手段と、操作部から氏名情報の入力を受け付けて、氏名情報を電話番号情報に対応付けて格納する氏名受付手段と、前記クライアント側画像情報記憶手段に格納されている氏名情報を一覧表示する氏名表示手段と、操作部からの入力を受け付けて、表示された氏名情報から少なくとも１の氏名情報を選択する氏名選択手段と、ネットワークファクシミリ装置を介して画像情報を送信する場合に、氏名選択手段によって選択された氏名情報に対応する電話番号情報を前記クライアント側画像情報記憶手段から読み出して送信先の電話番号情報を選択する第２送信先選択手段と、前記ネットワークファクシミリ装置を介して画像情報を送信する場合に、前記クライアント側画像情報記憶手段に記憶された画像情報を読み出して画像選択画面を表示部に表示し、操作部からの選択入力を受け付けて、前記クライアント側画像情報記憶手段から送信先の電話番号情報を選択する第３送信先選択手段と、前記ネットワークファクシミリ装置から画像情報を送信する場合に、前記クライアント側画像情報記憶手段から電話番号情報及び他方識別情報を読み出し、電話番号情報及び他方識別情報の一覧表を作成して表示部に表示し、操作部からの選択入力を受け付けて、前記クライアント側画像情報記憶手段から送信先の電話番号情報及び他方識別情報を選択する第４送信先選択手段とを備えるクライアント端末装置と相互に通信可能に接続されていることを特徴とする。
【００２６】
【発明の実施の形態】
図１は、本発明が適用されるネットワークファクシミリシステムの構成図の一例である。ネットワークファクシミリシステム１は、複数の他のファクシミリ装置（ここではネットワークファクシミリ装置）２１（他方ネットワークファクシミリ装置に相当する）と電話回線３を介して通信可能に接続されたネットワークファクシミリ装置１１と、ネットワークファクシミリ装置１１（自方ネットワークファクシミリ装置に相当する）とＬＡＮ（ローカルエリアネットワーク）等のネットワーク１４を介して通信可能に接続されたサーバ装置１２と、ネットワークファクシミリ装置１１及びサーバ装置１２とネットワーク１４を介して通信可能に接続された複数のクライアント端末装置１３（自方クライアント端末装置に相当する）とを備えている。ここでは、ネットワークファクシミリシステム２は、ネットワークファクシミリシステム１と同様に、ネットワークファクシミリ装置２１がサーバ装置２２及びクライアント端末装置２３（他方クライアント端末装置に相当する）と通信可能に接続されていており、ネットワークファクシミリシステム１と同様のシステムを構成しているものとする。
【００２７】
ネットワークファクシミリ装置１１は、電話回線３を介してネットワークファクシミリ装置２１との間で画像情報の送受信を行なうものである。また、ネットワークファクシミリ装置１１は、サーバ装置１２からの要求に従って、画像情報等の種々の情報をサーバ装置１２へネットワーク１４を介して送信すると共に、画像情報等の種々の情報をサーバ装置１２からネットワーク１４を介して受信するものである。
【００２８】
サーバ装置１２は、ネットワークファクシミリシステム１全体における情報の送受信の制御を行なうものであって、ネットワークファクシミリ装置１１及びクライアント端末装置１３との間でネットワーク１４を介して画像情報等の種々の情報を送受信するものである。また、サーバ装置１２は、ＨＤＤ等の記憶手段を備え、ネットワークファクシミリ装置１１で受信された画像等の情報を格納すると共に、クライアント端末装置１３からの転送要求に従ってネットワークファクシミリ装置１１から送信される画像等の情報をクライアント端末装置１３に伝送するものである。
【００２９】
クライアント端末装置１３は、ネットワークファクシミリ装置１１で受信された画像等の情報をネットワーク１４を介して受信すると共に、ネットワークファクシミリ装置１１から送信する画像等の情報をネットワーク１４及びサーバ装置１２を介してネットワークファクシミリ装置１１へ送信するものである。また、クライアント端末装置１３は、ＨＤＤ等の記憶手段を備え、送受信された画像等の情報を格納するものである。なお、クライアント端末装置１３は、ＣＰＵ、ＲＡＭ、ＲＯＭ、ＦＤＤ、ＣＤＲ等を備えたパーソナルコンピュータである。
【００３０】
図２は、ネットワークファクシミリ装置１１の機能構成図の一例である。ネットワークファクシミリ装置１１は、電話回線３を介してネットワークファクシミリ装置２１との間で画像等の情報の送受信を行なう送受信部１１１と、送信元のネットワークファクシミリ装置２１の電話番号を取得する特定情報取得部１１２（ファクシミリ側特定情報取得手段に相当する）と、電話番号情報に対応付けて画像情報を格納する画像情報記憶部１１３（ファクシミリ側画像情報記憶手段に相当する）と、受信された画像情報から画像を形成する画像形成部１１４と、外部からの入力を受け付ける操作部１１５と、ネットワーク１４を介してサーバ装置１２及びクライアント端末装置１３との間で画像等の情報の送受信を行なうＬＡＮ接続部１１６とを備えている。
【００３１】
送受信部１１１は、モデム等のＡ／Ｄ変換器を備え、電話回線３を介してネットワークファクシミリ装置２１との間で画像等の情報の送受信を行なうものである。すなわち、送信の場合には、画像等の情報のディジタル信号をアナログ信号に変換して出力し、受信の場合には、画像等の情報のアナログ信号をディジタル信号に変換して取り込むものである。
【００３２】
特定情報取得部１１２は、ネットワークファクシミリ装置２１から電話回線を介して画像情報を受信するに際して、互いの機器情報の授受を通して得られる情報から送信元のネットワークファクシミリ装置２１の電話番号を取得すると共に、送信先のクライアント端末装置１３を識別する情報である自方識別情報及び送信元のクライアント端末装置２３を識別する情報である他方識別情報を取得するものである。
【００３３】
画像情報記憶部１１３は、ネットワークファクシミリ装置２１の電話番号情報、送信先のクライアント端末装置１３を識別する自方識別情報及び送信元のクライアント端末装置２３を識別する他方識別情報に対応付けて画像情報を格納するものである。
【００３４】
画像形成部１１４は、受信された画像情報から画像を形成して、記録紙に出力するものである。操作部１１５は、ＣＲＴ、ＬＣＤ等からなり、操作の状態及びガイダンス等を表示するモニタと、タッチパネル、テンキー等からなり、操作入力を受け付ける入力部を備え、外部からの入力を受け付けるものである。
【００３５】
ＬＡＮ接続部１１６は、サーバ装置１２からの指示に従って、ネットワーク１４を介してサーバ装置１２及びクライアント端末装置１３との間で画像等の情報の送受信を行なうものである。
【００３６】
図３は、サーバ装置１２の機能構成図の一例である。サーバ装置１２は、ネットワーク１４を介してネットワークファクシミリ装置１１及びクライアント端末装置１３との間で画像等の情報の送受信を行なうＬＡＮ接続部１２１と、ネットワークファクシミリ装置１１の画像情報記憶部１１３に格納された電話番号、自方識別情報、他方識別情報、及び画像情報を取得する特定情報取得部１２２（サーバ側特定情報取得手段に相当する）と、自方識別情報及び電話番号情報に対応付けて画像情報を格納する画像情報記憶部１２３（サーバ側画像情報記憶手段に相当する）と、自方識別情報に対応するクライアント端末装置１３に対して、ネットワークファクシミリ装置１１がクライアント端末装置１３を送信先とする画像情報を受信した旨の電子メールを送信するメール送信部１２４（メール送信手段に相当する）とを備えている。
【００３７】
ＬＡＮ接続部１２１は、ネットワーク１４を介してネットワークファクシミリ装置１１及びクライアント端末装置１３との間で画像等の情報の送受信を行なうものである。
【００３８】
特定情報取得部１２２は、ネットワークファクシミリ装置１１の画像情報記憶部１１３に格納された送信先のクライアント端末装置１３を識別する自方識別情報、送信元のクライアント端末装置２３を識別する他方識別情報、ネットワークファクシミリ装置２１の電話番号情報及び画像情報を取得するものである。
【００３９】
画像情報記憶部１２３は、ネットワークファクシミリ装置２１の電話番号情報、送信先のクライアント端末装置１３を識別する自方識別情報及び送信元のクライアント端末装置２３を識別する他方識別情報に対応付けて画像情報を格納するものである。
【００４０】
メール送信部１２４は、自方識別情報に対応するクライアント端末装置１３に対して、ネットワークファクシミリ装置１１がクライアント端末装置１３を送信先とする画像情報を受信した旨の電子メールを生成して送信するものである。
【００４１】
図４は、クライアント端末装置１３の機能構成図の一例である。クライアント端末装置１３は、ネットワーク１４を介してネットワークファクシミリ装置１１及びサーバ装置１２との間で画像等の情報の送受信を行なうＬＡＮ接続部１３１と、サーバ装置１２の特定情報取得部１２２に格納された電話番号等を取得する特定情報取得部１３２（クライアント側特定情報取得手段に相当する）と、電話番号情報に対応付けて画像情報を格納する画像情報記憶部１３３（クライアント側画像情報記憶手段に相当する）と、電子メールを送受信するメール送受信部１３４と、外部からの入力を受け付けて、画像情報記憶部１３３から送信先の電話番号を選択する第１送信先選択部１３５（第１送信先選択手段に相当する）と、外部からの氏名の入力を受け付けて、画像情報記憶部１３３に氏名情報を電話番号情報に対応付けて格納する氏名受付部１３６ａ（氏名受付手段に相当する）と、画像情報記憶部１３３に格納されている氏名情報を一覧表示する氏名表示部１３６ｂ（氏名表示手段に相当する）と、外部からの入力を受け付けて、表示された氏名情報から少なくとも１の氏名情報を選択する氏名選択部１３６ｃ（氏名選択手段に相当する）と、ネットワークファクシミリ装置１１を介して画像情報を送信する場合に、氏名選択部１３６ｃによって選択された氏名情報に対応する電話番号情報を画像情報記憶部１３３から読み出して送信先の電話番号を選択する第２送信先選択部１３６ｄ（第２送信先選択手段に相当する）と、ネットワークファクシミリ装置１１を介して画像情報を送信する場合に、外部からの入力を受け付けて、画像情報記憶部１３３に格納されている画像情報を選択することによって送信先の電話番号を指定する第３送信先選択部１３７（第３送信先選択手段に相当する）と、ネットワークファクシミリ装置から画像情報を送信する場合に、外部からの入力を受け付けて、画像情報記憶部１３３から送信先の電話番号及び他方識別情報を選択する第４送信先選択部１３８（第４送信先選択手段に相当する）と、外部からの入力を受け付ける操作部１３９ａと、各種画面を表示する表示部１３９ｂとを備えている。
【００４２】
ＬＡＮ接続部１３１は、特定情報取得部１３２及びサーバ装置１２からの指示情報に基づいてネットワーク１４を介してネットワークファクシミリ装置１１及びサーバ装置１２との間で画像等の情報の送受信を行なうものである。
【００４３】
特定情報取得部１３２は、サーバ装置１２の画像情報記憶部１２３に格納された送信元のクライアント端末装置２３を識別する他方識別情報、ネットワークファクシミリ装置２１の電話番号情報及び画像情報を取得するものである。なお、ここでは、特定情報取得部１３２は、メール送受信部１３４によって受信されたメール情報を参照して、ユーザが操作部１３９ａによって行った入力を受け付けて、この入力により指定された画像情報等を取得するものである。
【００４４】
画像情報記憶部１３３は、ネットワークファクシミリ装置２１の電話番号情報及び送信元のクライアント端末装置２３を識別する他方識別情報に対応付けて画像情報を格納するものである。
【００４５】
メール送受信部１３４は、サーバ装置１２を介して他のクライアント端末装置１３、２３との間でメールの送受信を行なうものである。また、サーバ装置１２のメール送信部１２４からのメールを受信するものである。
【００４６】
第１送信先選択部１３５は、画像情報記憶部１３３に格納されているネットワークファクシミリ装置２１の電話番号情報の一覧表を生成し、表示部１３９ｂに表示し、操作部１３９ａからの入力を受け付けて、送信先のネットワークファクシミリ装置２１の電話番号を選択するものである。
【００４７】
氏名受付部１３６ａは、後述する氏名入力画面を表示部１３９ｂに表示し、操作部１３９ａからの入力を受け付けて、画像情報記憶部１３３に氏名情報をネットワークファクシミリ装置２１の電話番号情報に対応付けて格納するものである。氏名表示部１３６ｂは、画像情報記憶部１３３に格納されている氏名情報を読み出して、氏名情報の一覧表を生成し、表示部１３９ｂに表示するものである。氏名選択部１３６ｃは、操作部１３９ａからの入力を受け付けて、表示された氏名情報の一覧表から少なくとも１の氏名情報を選択するものである。
【００４８】
第２送信先選択部１３６ｄは、ネットワークファクシミリ装置１１を介して画像情報を送信する場合に、氏名選択部１３６ｃによって選択された氏名情報に対応する電話番号情報を画像情報記憶部１３３から読み出して送信先のネットワークファクシミリ装置２１の電話番号を選択するものである。
【００４９】
第３送信先選択部１３７は、画像情報記憶部１３３に格納されている画像情報を読み出して後述する画像選択画面として表示部１３９ｂに表示し、操作部１３９ａからの選択入力を受け付けて、画像情報記憶部１３３に格納されている画像情報から、選択された画像情報に対応するネットワークファクシミリ装置２１の電話番号を読み出して、送信先のネットワークファクシミリ装置２１の電話番号を選択するものである。
【００５０】
第４送信先選択部１３８は、画像情報記憶部１３３から送信先の電話番号及び他方識別情報を読み出して、電話番号及び他方識別情報の一覧表を作成し、表示部１３９ｂに表示し、操作部１３９ａからの選択入力を受け付けて、送信先のネットワークファクシミリ装置２１の電話番号及びクライアント端末装置２３の他方識別情報を選択するものである。
【００５１】
操作部１３９ａは、キーボード、マウス等からなり、外部からの入力を受け付けるものである。表示部１３９ｂは、ＣＲＴ、ＬＣＤ等からなり各種画面を表示するものである。
【００５２】
なお、本発明の送信先指定プログラムは、ＲＡＭ等の記憶手段に予め格納されており、逐次ＣＰＵで実行されることによって、特定情報取得部１３２、第１送信先選択部１３５、氏名受付部１３６ａ、氏名表示部１３６ｂ、氏名選択部１３６ｃ、第２送信先選択部１３６ｄ、第３送信先選択部１３７及び第４送信先選択部１３８として機能する。また、画像情報記憶部１３３は、ＲＡＭまたはＨＤＤ等に専用の領域が確保されているものとする。
【００５３】
図５は、ネットワークファクシミリ装置１１の動作を表わすフローチャートの一例である。ここでは、ネットワークファクシミリ装置１１が他のネットワークファクシミリ装置２１から画像情報等を受信する場合について説明する。まず、特定情報取得部１１２によって、送受信部１１１を介して画像情報が取得される（ステップＳ１０１）。そして、特定情報取得部１１２によって、送受信部１１１を介して画像情報が取得される際に、送信元のネットワークファクシミリ装置２１の電話番号が取得される（ステップＳ１０３）。更に、特定情報取得部１１２によって、送受信部１１１を介して画像情報が取得される際に、送信先のクライアント端末装置１３を識別する情報である自方識別情報が取得される（ステップＳ１０５）。同様に、特定情報取得部１１２によって、送受信部１１１を介して画像情報が取得される際に、送信元のクライアント端末装置２３を識別する情報である他方識別情報が取得される（ステップＳ１０７）。そして、特定情報取得部１１２によって取得されたネットワークファクシミリ装置２１の電話番号情報、送信先のクライアント端末装置１３を識別する自方識別情報及び送信元のクライアント端末装置２３を識別する他方識別情報に対応付けて画像情報が画像情報記憶部１１３に格納される（ステップＳ１０９）。
【００５４】
このようにして、画像情報記憶部１１３にネットワークファクシミリ装置２１の電話番号情報が格納されるため、クライアント端末装置１３から画像情報記憶部１１３に格納された電話番号情報を参照することが可能となり、送信先のネットワークファクシミリ装置２１の指定が容易となる。
【００５５】
また、画像情報記憶部１１３に送信先のクライアント端末装置１３を識別する自方識別情報が格納されるため、クライアント端末装置１３から画像情報記憶部１１３に格納された自方識別情報を参照することが可能となり、受信された画像情報がどのクライアント端末装置１３に対して送信されたものであるかが認識可能となる。
【００５６】
更に、画像情報記憶部１１３に送信元のクライアント端末装置２３を識別する他方識別情報が格納されるため、クライアント端末装置１３から画像情報記憶部１１３に格納された他方識別情報を参照することが可能となり、受信された画像情報がどのクライアント端末装置２３から送信されたものであるかが認識可能となる。
【００５７】
図６は、サーバ装置１２の動作を表わすフローチャートの一例である。まず、特定情報取得部１２２によって、ＬＡＮ接続部１２１を介して、ネットワークファクシミリ装置１１の特定情報取得部１１２に格納された送信先のクライアント端末装置１３を識別する自方識別情報、送信元のクライアント端末装置２３を識別する他方識別情報、ネットワークファクシミリ装置２１の電話番号情報及び画像情報が取得される（ステップＳ２０１）。次いで、メール送信部１２４によって、ネットワークファクシミリ装置１１がステップＳ２０１において取得された自方識別情報に対応するクライアント端末装置１３を送信先とする画像情報を受信した旨の電子メールが生成され（ステップＳ２０３）、ステップＳ２０１において取得された自方識別情報に対応するクライアント端末装置１３に対して、送信される（ステップＳ２０５）。そして、ネットワークファクシミリ装置２１の電話番号情報、送信先のクライアント端末装置１３を識別する自方識別情報及び送信元のクライアント端末装置２３を識別する他方識別情報に対応付けて画像情報が画像情報記憶部１２３に格納される（ステップＳ２０７）。
【００５８】
このようにして、メール送信部１２４によって、自方識別情報に対応するクライアント端末装置１３に対して、ネットワークファクシミリ装置１１がクライアント端末装置１３を送信先とする画像情報を受信した旨の電子メールが送信されるため、当該クライアント端末装置１３のユーザは、この電子メールを受信し内容を確認することによって、ネットワークファクシミリ装置１１が当該クライアント端末装置１３を送信先とする画像情報を受信したことを迅速に知ることが可能となる。
【００５９】
また、クライアント端末装置１３から画像情報記憶部１２３に格納された自方識別情報及び電話番号情報を参照することが可能となり、自方識別情報によって画像情報がどのクライアント端末装置１３に送信されたものであるかが認識可能になると共に、受信された画像情報がどの電話番号情報を有するネットワークファクシミリ装置２１から送信されたものであるかが認識可能となる。
【００６０】
更に、クライアント端末装置１３から画像情報記憶部１２３に格納された他方識別情報を参照することが可能となり、受信された画像情報がどのクライアント端末装置２３から送信されたものであるかが認識可能となる。
【００６１】
図７は、クライアント端末装置１３の動作を表わすフローチャートの一例である。まず、メール送受信部１３４によって、サーバ装置１２のメール送信部１２４から送信されたメールが受信される（ステップＳ３０１）。次いで、特定情報取得部１３２によって、メール送受信部１３４によって受信されたメール情報を参照して、ユーザが操作部１３９ａによって行った入力を受け付けて、ＬＡＮ接続部１３１を介して、サーバ装置１２の画像情報記憶部１２３から、送信元のクライアント端末装置２３を識別する他方識別情報、ネットワークファクシミリ装置２１の電話番号情報及び画像情報が取得される（ステップＳ３０３）。そして、ネットワークファクシミリ装置２１の電話番号情報及び送信元のクライアント端末装置２３を識別する他方識別情報に対応付けて画像情報が画像情報記憶部１３３に格納される（ステップＳ３０５）。
【００６２】
つぎに、クライアント端末装置１３からネットワークファクシミリ装置１１を介して画像情報を送信するか否かの判定が行われる（ステップＳ３０７）。送信しないと判定された場合には、処理が終了される。送信すると判定された場合には、図１２を用いて後述する送信文書作成画面において送信先の電話番号等の選択方法が指定される（ステップＳ３０９）。電話番号情報の一覧表からの選択である「番号選択」が指定された場合には、図８を用いて後述する番号選択処理が実行され送信先が選択される（ステップＳ３１１）。氏名情報の一覧表からの選択である「氏名選択」が指定された場合には、図９を用いて後述する氏名選択処理が実行され送信先が選択される（ステップＳ３１３）。後述する画像選択画面からの選択である「画像選択」が指定された場合には、図１０を用いて後述する画像選択処理が実行され送信先が選択される（ステップＳ３１５）。電話番号情報及び他方識別情報の一覧表からの選択である「識別情報選択」が指定された場合には、図１１を用いて後述する識別情報選択処理が実行され送信先が選択される（ステップＳ３１７）。
【００６３】
そして、図１２を用いて後述する送信文書作成画面において、送信する対象の画像情報が選択され（ステップＳ３１９）、送信指示の操作が受け付けられると、ステップＳ３１９において選択された画像情報が、ステップＳ３１１〜３１７において選択された送信先へネットワークファクシミリ装置１１から送信される（ステップＳ３２１）。
【００６４】
図８は、図７におけるステップＳ３１１の番号選択処理を説明するフローチャートの一例である。なお、以下の処理は、第１送信先選択部１３５によって行なわれる。まず、画像情報記憶部１３３に格納されているネットワークファクシミリ装置２１の電話番号情報の一覧表が生成される（ステップＳ４０１）。次いで、作成された電話番号情報の一覧表（図示省略）が表示部１３９ｂに表示される（ステップＳ４０３）。そして、操作部１３９ａからの入力が受け付けられて、送信先のネットワークファクシミリ装置２１の電話番号が選択される（ステップＳ４０５）。
【００６５】
このようにして、第１送信先選択部１３５によって、操作部１３９ａからの入力が受け付けられて、画像情報記憶部１３３から送信先のネットワークファクシミリ装置２１の電話番号が選択されるため、送信先のネットワークファクシミリ装置２１電話番号の指定が容易になる。
【００６６】
図９は、図７におけるステップＳ３１３の氏名選択処理を説明するフローチャートの一例である。まず、氏名受付部１３６ａは、画像情報記憶部１３３に格納されているネットワークファクシミリ装置２１の電話番号のそれぞれに対して氏名の入力が可能な氏名入力画面（図示省略）が表示部１３９ｂに表示される（ステップＳ５０１）。次いで、氏名受付部１３６ａによって、操作部１３９ａからの入力が受け付けられて（ステップＳ５０３）、画像情報記憶部１３３に氏名情報がネットワークファクシミリ装置２１の電話番号情報に対応付けて格納される（ステップＳ５０５）。つぎに、氏名表示部１３６ｂによって、画像情報記憶部１３３に格納されている氏名情報が読み出されて、氏名情報の一覧表が生成され、表示部１３９ｂに表示される（ステップＳ５０７）。そして、氏名選択部１３６ｃによって、操作部１３９ａからの入力が受け付けられて、表示された氏名情報の一覧表（図示省略）から少なくとも１の氏名情報が選択される（ステップＳ５０９）。次いで、第２送信先選択部１３６ｄによって、選択された氏名情報に対応する電話番号情報が画像情報記憶部１３３から読み出されて送信先のネットワークファクシミリ装置２１の電話番号が選択される（ステップＳ５１１）。
【００６７】
このようにして、氏名選択部１３６ｃによって、操作部１３９ａからの入力が受け付けられて、表示された氏名情報から少なくとも１の氏名情報が選択され、ネットワークファクシミリ装置１１を介して画像情報を送信する場合に、第２送信先選択部１３６ｄによって、氏名選択部１３６ｃによって選択された氏名情報に対応する電話番号情報が画像情報記憶部１３３から読み出されて送信先の電話番号が選択されるため、送信先の電話番号の指定が更に容易になる。
【００６８】
図１０は、図７におけるステップＳ３１５の画像選択処理を説明するフローチャートの一例である。なお、以下の処理は、第３送信先選択部１３７によって行なわれる。まず、画像情報記憶部１３３に格納されている画像情報が読み出されて、画像情報の一覧（例えばサムネイル画像）を表示する画面である画像選択画面（図示省略）を表示部１３９ｂに表示する（ステップＳ６０１）。そして、操作部１３９ａからの選択入力が受け付けられて（ステップＳ６０３）、画像情報記憶部１３３に格納されている画像情報から、選択された画像情報に対応するネットワークファクシミリ装置２１の電話番号が読み出されて、送信先のネットワークファクシミリ装置２１の電話番号が選択される（ステップＳ６０５）。
【００６９】
このようにして、第３送信先選択部１３７によって、操作部１３９ａからの入力が受け付けられて、画像情報記憶部１３３に格納されている画像情報を選択することによって送信先のネットワークファクシミリ装置２１の電話番号が指定されるため、送信先のネットワークファクシミリ装置２１の電話番号の指定が容易になる。特に、クライアント端末装置１３に送信されてきた文書に対して、その文書の送信元に返信する場合には、その文書に対応する画像情報を選択することによって、返信先のネットワークファクシミリ装置２１の電話番号が指定されるため、返信先のネットワークファクシミリ装置２１の電話番号の指定が容易になる。
【００７０】
図１１は、図７におけるステップＳ３１７の識別情報選択処理を説明するフローチャートの一例である。なお、以下の処理は、第４送信先選択部１３８によって行なわれる。まず、画像情報記憶部１３３から送信先の電話番号及び他方識別情報が読み出されて、電話番号及び他方識別情報の一覧表が作成される（ステップＳ７０１）。次いで、電話番号及び他方識別情報の一覧表が表示部１３９ｂに表示される（ステップＳ７０３）。そして、操作部１３９ａからの選択入力が受け付けられて、送信先のネットワークファクシミリ装置２１の電話番号及びクライアント端末装置２３の他方識別情報が選択される（ステップＳ７０５）。
【００７１】
このようにして、第４送信先選択部１３８によって、操作部１３９ａからの入力が受け付けられて、画像情報記憶部１３３から送信先のネットワークファクシミリ装置２１の電話番号及びクライアント端末装置２３の他方識別情報が選択されるため、送信先のネットワークファクシミリ装置２１の電話番号及びクライアント端末装置２３の他方識別情報の指定が容易になる。
【００７２】
図１２は、図７におけるステップＳ３０９において表示される送信文書作成画面の画面図の一例である。送信文書作成画面４００には、画面上部に、送付する文書名を入力及び表示する文書名表示部４０１と、画面左側に、送付先を入力及び表示する送付先表示部４０２と、画面右側に文書送信に関するオプション設定を指定するオプション設定部４０３と、オプション設定部４０３の下側に、送信する場合にマウスにてクリックされる送信ボタン４０４と、送信しない場合にマウスにてクリックされるキャンセルボタン４０５とが表示されている。
【００７３】
送付先表示部４０２には、送信先のネットワークファクシミリ装置２１の電話番号を入力及び表示する電話番号表示部４０２ａと、送信先のクライアント端末装置２３の他方識別情報を入力及び表示する識別情報表示部４０２ｂと、送信先の選択方法を指定する送信先指定方法選択ボタン４０２ｃ〜４０２ｆとが表示されている。送信先指定方法選択ボタン４０２ｃが、マウスにてクリックされると「番号選択」が指定され、送信先指定方法選択ボタン４０２ｄが、マウスにてクリックされると、「画像選択」が指定され、送信先指定方法選択ボタン４０２ｅが、マウスにてクリックされると、「氏名選択」が指定され、送信先指定方法選択ボタン４０２ｆが、マウスにてクリックされると、「識別情報選択」が指定される。
【００７４】
このようにして、送信文書作成画面４００の送信先指定方法選択ボタン４０２ｃ〜４０２ｆによって送信先指定方法が選択可能となるため、ユーザの利便性が向上される。
【００７５】
なお、本発明は以下の形態をとることができる。
【００７６】
（Ａ）本実施形態においては、ネットワークファクシミリ装置１１に電話回線３を介して通信可能に接続されたファクシミリ装置が、ネットワークファクシミリ装置２１である場合について説明したが、スタンドアローンタイプのファクシミリ装置である形態でもよい。
【００７７】
（Ｂ）本実施形態においては、ネットワークファクシミリシステム１がネットワークファクシミリ装置１１とネットワーク１４を介して通信可能に接続されたサーバ装置１２を備える場合について説明したが、サーバ装置１２の機能の一部または全部をネットワークファクシミリ装置１１が備える形態でもよい。サーバ装置１２の機能の全部をネットワークファクシミリ装置１１が備える形態では、ネットワークファクシミリシステム１の構成が簡略化されると共に、画像情報等の情報の伝送回数が削減され、効率的なネットワークファクシミリシステム１が実現される。
【００７８】
（Ｃ）本実施形態においては、ネットワークファクシミリ装置１１の特定情報取得部１１２が送信元のネットワークファクシミリ装置２１の電話番号を取得すると共に、送信先のクライアント端末装置１３を識別する情報である自方識別情報及び送信元のクライアント端末装置２３を識別する情報である他方識別情報を取得する場合について説明したが、少なくとも送信元のネットワークファクシミリ装置２１の電話番号を取得する形態であればよい。
【００７９】
（Ｄ）本実施形態においては、ネットワークファクシミリ装置１１の画像情報記憶部１１３が、ネットワークファクシミリ装置２１の電話番号情報、送信先のクライアント端末装置１３を識別する自方識別情報及び送信元のクライアント端末装置２３を識別する他方識別情報に対応付けて画像情報を格納する場合について説明したが、少なくともネットワークファクシミリ装置２１の電話番号情報を格納する形態であればよい。
【００８０】
（Ｅ）本実施形態においては、クライアント端末装置１３の特定情報取得部１３２が、サーバ装置１２の画像情報記憶部１２３に格納された送信元のクライアント端末装置２３を識別する他方識別情報、ネットワークファクシミリ装置２１の電話番号情報及び画像情報を取得する場合について説明したが、少なくともネットワークファクシミリ装置２１の電話番号情報を取得する形態であればよい。
【００８１】
（Ｆ）本実施形態においては、クライアント端末装置１３の画像情報記憶部１３３がネットワークファクシミリ装置２１の電話番号情報及び送信元のクライアント端末装置２３を識別する他方識別情報に対応付けて画像情報を格納する及び送信元のクライアント端末装置２３を識別する他方識別情報に対応付けて画像情報を格納する場合について説明したが、少なくともネットワークファクシミリ装置２１の電話番号情報を格納する形態であればよい。
【００８２】
（Ｇ）本実施形態においては、クライアント端末装置１３が、外部からの入力を受け付けて、画像情報記憶部１３３から送信先の電話番号を選択する第１送信先選択部１３５と、外部からの氏名の入力を受け付けて、画像情報記憶部１３３に氏名情報を電話番号情報に対応付けて格納する氏名受付部１３６ａと、画像情報記憶部１３３に格納されている氏名情報を一覧表示する氏名表示部１３６ｂと、外部からの入力を受け付けて、表示された氏名情報から少なくとも１の氏名情報を選択する氏名選択部１３６ｃと、ネットワークファクシミリ装置１１を介して画像情報を送信する場合に、氏名選択部１３６ｃによって選択された氏名情報に対応する電話番号情報を画像情報記憶部１３３から読み出して送信先の電話番号を選択する第２送信先選択部１３６ｄと、ネットワークファクシミリ装置１１を介して画像情報を送信する場合に、外部からの入力を受け付けて、画像情報記憶部１３３に格納されている画像情報を選択することによって送信先の電話番号を指定する第３送信先選択部１３７と、ネットワークファクシミリ装置から画像情報を送信する場合に、外部からの入力を受け付けて、画像情報記憶部１３３から送信先の電話番号及び他方識別情報を選択する第４送信先選択部１３８とを備える場合について説明したが、少なくとも、第１送信先選択部１３５、第２送信先選択部１３６ｄ、第３送信先選択部１３７、第４送信先選択部１３８の内、少なくともいずれか１つを備える形態であればよい。ただし、第２送信先選択部１３６ｄを備える場合には、氏名受付部１３６ａ、氏名表示部１３６ｂ及び氏名選択部１３６ｃを備えることが好ましい。
【００８３】
（Ｈ）本実施形態においては、クライアント端末装置１３の特定情報取得部１３２が、メール送受信部１３４によって受信されたメール情報を参照して、ユーザが操作部１３９ａによって行った入力を受け付けて、この入力により指定された画像情報等を取得する場合について説明したが、サーバ装置１２のメール送信部１２４が、クライアント端末装置１３に対して、電子メールを送信すると共に、画像情報等を送信する形態でもよい。この場合には、ユーザは、画像情報等を取得するための操作部１３９ａからの入力を行う必要がなく、利便性が向上される。
【００８４】
【発明の効果】
以上説明したように、本発明によれば、自方クライアント端末装置からファクシミリ側画像情報記憶手段に格納された電話番号情報を参照することが可能となり、送信先の指定を容易化できる。また、自方クライアント端末装置からファクシミリ側画像情報記憶手段に格納された自方識別情報を参照することが可能となり、受信された画像情報がどの自方クライアント端末装置に対して送信されたものであるかを認識できる。
【００８５】
また、本発明によれば、メール送信手段によって、自方識別情報に対応するクライアント端末装置に対して、ネットワークファクシミリ装置がクライアント端末装置を送信先とする画像情報を受信した旨の電子メールが送信されるため、当該クライアント端末装置のユーザは、この電子メールを受信し内容を確認することによって、ネットワークファクシミリ装置が当該自方クライアント端末装置を送信先とする画像情報を受信したことを迅速に知ることができる。
【００８６】
また、本発明によれば、自方クライアント端末装置からファクシミリ側画像情報記憶手段に格納された他方識別情報を参照することが可能となり、受信された画像情報がどの他方クライアント端末装置から送信されたものであるかを認識できる。
【００８７】
また、本発明によれば、自方クライアント端末装置からサーバ側画像情報記憶手段に格納された自方識別情報及び電話番号情報を参照することが可能となり、自方識別情報によって画像情報がどの自方クライアント端末装置に送信されたものであるかが認識可能になると共に、受信された画像情報がどの電話番号情報を有するファクシミリから送信されたものであるかを認識できる。
【００８８】
また、本発明によれば、自方クライアント端末装置からサーバ側画像情報記憶手段に格納された自方識別情報及び電話番号情報を参照することが可能となり、自方識別情報によってどの画像情報が自方クライアント端末装置に送信されたものであるかが認識可能になると共に、受信された画像情報がどの電話番号情報を有するファクシミリから送信されたものであるかが認識可能となる。更に、自方クライアント端末装置からサーバ側画像情報記憶手段に格納された他方識別情報を参照することが可能となり、受信された画像情報がどの他方クライアント端末装置から送信されたものであるかを認識できる。
【００８９】
また、本発明によれば、第１送信先選択手段によって、外部からの入力が受け付けられて、クライアント側画像情報記憶手段から送信先の電話番号が選択されるため、送信先の電話番号の指定を容易化できる。
【００９０】
また、本発明によれば、氏名選択手段によって、外部からの入力が受け付けられて、表示された氏名情報から少なくとも１の氏名情報が選択され、ネットワークファクシミリ装置を介して画像情報を送信する場合に、第２送信先選択手段によって、氏名選択手段によって選択された氏名情報に対応する電話番号情報がクライアント側画像情報記憶手段から読み出されて送信先の電話番号が選択されるため、送信先の電話番号の指定を更に容易化できる。
【００９１】
また、本発明によれば、第３送信先選択手段によって、外部からの入力が受け付けられて、クライアント側画像情報記憶手段に格納されている画像情報を選択することによって送信先の電話番号が指定されるため、送信先の電話番号の指定を容易化できる。特に、自方クライアント端末装置に送信されてきた文書に対して、その文書の送信元に返信する場合には、その文書に対応する画像情報を選択することによって、返信先の他方ネットワークファクシミリ装置の電話番号が指定されるため、返信先の他方ネットワークファクシミリ装置の電話番号の指定を容易化できる。
【００９２】
また、本発明によれば、第４送信先選択手段によって、外部からの入力が受け付けられて、クライアント側画像情報記憶手段から送信先の電話番号及び他方識別情報が選択されるため、送信先の他方ネットワークファクシミリ装置の電話番号及び他方クライアント装置を識別する他方識別情報の指定を容易化できる。
【００９３】
また、発明によれば、送信先の電話番号の指定が容易なネットワークファクシミリシステムが実現できる。
【００９４】
また、本発明によれば、外部からの入力が受け付けられて、クライアント側画像情報記憶手段から送信先の電話番号が選択されるため、送信先の電話番号の指定を容易化できる。
【００９５】
また、本発明によれば、外部からの入力が受け付けられて、表示された氏名情報から少なくとも１の氏名情報が選択され、ネットワークファクシミリ装置を介して画像情報を送信する場合に、選択された氏名情報に対応する電話番号情報がクライアント側画像情報記憶手段から読み出されて送信先の電話番号が選択されるため、送信先の電話番号の指定を更に容易化できる。
【００９６】
また、本発明によれば、外部からの入力が受け付けられて、クライアント側画像情報記憶手段に格納されている画像情報を選択することによって送信先の電話番号が指定されるため、送信先の電話番号の指定を容易化できる。特に、自方クライアント端末装置に送信されてきた文書に対して、その文書の送信元に返信する場合には、その文書に対応する画像情報を選択することによって、返信先の他方ネットワークファクシミリ装置の電話番号が指定されるため、返信先の他方ネットワークファクシミリ装置の電話番号の指定を容易化できる。
【００９７】
また、本発明によれば、外部からの入力が受け付けられて、クライアント側画像情報記憶手段から送信先の電話番号及び他方識別情報が選択されるため、送信先の他方ネットワークファクシミリ装置の電話番号及び他方クライアント装置を識別する他方識別情報の指定を容易化できる。
【図面の簡単な説明】
【図１】  本発明が適用されるネットワークファクシミリシステムの構成図の一例である。
【図２】  ネットワークファクシミリ装置の機能構成図の一例である。
【図３】  サーバ装置の機能構成図の一例である。
【図４】  クライアント端末装置の機能構成図の一例である。
【図５】  ネットワークファクシミリ装置の動作を表わすフローチャートの一例である。
【図６】  サーバ装置の動作を表わすフローチャートの一例である。
【図７】  クライアント端末装置の動作を表わすフローチャートの一例である。
【図８】  図７におけるステップＳ３１１の番号選択処理を説明するフローチャートの一例である。
【図９】  図７におけるステップＳ３１３の氏名選択処理を説明するフローチャートの一例である。
【図１０】  図７におけるステップＳ３１５の画像選択処理を説明するフローチャートの一例である。
【図１１】  図７におけるステップＳ３１７の識別情報選択処理を説明するフローチャートの一例である。
【図１２】  図７におけるステップＳ３０９において表示される送信文書作成画面の画面図の一例である。
【符号の説明】
１  ネットワークファクシミリシステム
１１  ネットワークファクシミリ装置（自方ネットワークファクシミリ装置）
１１２  特定情報取得部（ファクシミリ側特定情報取得手段）
１１３  画像情報記憶部（ファクシミリ側画像情報記憶手段）
１２  サーバ装置
１２２  特定情報取得部（サーバ側特定情報取得手段）
１２３  画像情報記憶部（サーバ側画像情報記憶手段）
１２４  メール送信部（メール送信手段）
１３  クライアント端末装置（自方クライアント端末装置）
１３２  特定情報取得部（クライアント側特定情報取得手段）
１３３  画像情報記憶部（クライアント側画像情報記憶手段）
１３５  第１送信先選択部（第１送信先選択手段）
１３６ａ  氏名受付部（氏名受付手段）
１３６ｂ  氏名表示部（氏名表示手段）
１３６ｃ  氏名選択部（氏名選択手段）
１３６ｄ  第２送信先選択部（第２送信先選択手段）
１３７  第３送信先選択部（第３送信先選択手段）
１３８  第４送信先選択部（第４送信先選択手段）
１４  ネットワーク
２  ネットワークファクシミリシステム
２１  ネットワークファクシミリ装置（他方ネットワークファクシミリ装置）
２２  サーバ装置
２３  クライアント端末装置（他方クライアント端末装置）
３  電話回線
【図１】
0003762744.tif 000002
【図２】
0003762744.tif 000003
【図３】
0003762744.tif 000004
【図４】
0003762744.tif 000005
【図５】
0003762744.tif 000006
【図６】
0003762744.tif 000007
【図７】
0003762744.tif 000008
【図８】
0003762744.tif 000009
【図９】
0003762744.tif 000010
【図１０】
0003762744.tif 000011
【図１１】
0003762744.tif 000012
【図１２】
0003762744.tif 000013